(57)【要約】【課題】揉み機能を備える揉み装置を提供する。【解決手段】揉み装置１０は、第１の伝動軸及び第２の伝動軸１１２を有するモータ１１と、第１の伝動軸と接続され、第１の伝動杆を有する第１の歯車と、第１の伝動杆が接続され、第１のマッサージユニット１６を有する第１の回転ベース１４と、第２の伝動軸１１２に接続され、第２の伝動杆１３１を有する第２の歯車１３と、第２の伝動杆１３１が接続され、第２のマッサージユニット１７を有する第２の回転ベース１５とを備える。モータ１１により第１の伝動軸及び第２の伝動軸１１２が回転されると、第１のマッサージユニット１６及び第２のマッサージユニット１７が回転される。【選択図】図２
0003163015.tif 000002
【実用新案登録請求の範囲】
【請求項１】
第１の伝動軸及び第２の伝動軸を有するモータと、
前記第１の伝動軸と接続され、第１の伝動杆を有する第１の歯車と、
前記第１の伝動杆が接続され、第１のマッサージユニットを有する第１の回転ベースと、
前記第２の伝動軸と接続され、第２の伝動杆を有する第２の歯車と、
前記第２の伝動杆が接続され、第２のマッサージユニットを有する第２の回転ベースと、を備え、
前記モータにより前記第１の伝動軸及び前記第２の伝動軸が回転されると、前記第１のマッサージユニット及び前記第２のマッサージユニットが回転されることを特徴とする揉み装置。
【請求項２】
前記第１の歯車及び前記第２の歯車の外側は、第１のハウジング及び第２のハウジングにより覆われることを特徴とする請求項１に記載の揉み装置。
【請求項３】
前記第１のマッサージユニット及び前記第２のマッサージユニットと電気的に接続され、前記第１のマッサージユニット及び前記第２のマッサージユニットを電熱方式により加熱する加熱ユニットをさらに備えることを特徴とする請求項１に記載の揉み装置。
【請求項４】
前記第１のマッサージユニット及び前記第２のマッサージユニットは、体積が異なる２つのマッサージ用球体をそれぞれ有することを特徴とする請求項１に記載の揉み装置。
【考案の詳細な説明】
【技術分野】
【０００１】
本考案は、揉み装置に関し、特に、揉み機能を備える揉み装置に関する。
【背景技術】
【０００２】
現代人は、仕事や勉学に忙しく、休息する時間が非常に少なくなってきている。特に、事務所で長時間座って仕事をしているホワイトカラーワーカーは、コンピュータの前に長時間座って仕事をするため、コンピュータから放射される電磁波による悪影響を受ける他、手、首、脊椎、足、腰などが疲労し、酷い場合、脊椎が病気になったり肩関節周囲炎が起きたりすることがある。従来、疲労問題を解決することができる手持ち式マッサージ装置が存在したが、叩き、振動及び圧迫の３種類の機能のみを備え、揉み機能を備えていないことが一般的であった。そのため、ユーザがマッサージ器に求めるニーズを満たすことができない。
【０００３】
また、揉み機能を備えるマッサージ装置は、椅子式マッサージ器の態様であるものが大部分である。この椅子式マッサージ器は、揉み、叩き、振動、圧迫など多種類のマッサージ機能を備えているが、高価である上に占有空間が大きいため、何時でも何処でも使用することができるわけではなく、ユーザが求めるマッサージのニーズを満たすことができない。
【０００４】
そのため、揉み機能を備える揉み装置が求められていた。
【考案の概要】
【考案が解決しようとする課題】
【０００５】
本考案の目的は、揉み機能を備える揉み装置を提供することにある。
【課題を解決するための手段】
【０００６】
上記課題を解決するために、本考案の第１の形態によれば、第１の伝動軸及び第２の伝動軸を有するモータと、前記第１の伝動軸と接続され、第１の伝動杆を有する第１の歯車と、前記第１の伝動杆が接続され、第１のマッサージユニットを有する第１の回転ベースと、前記第２の伝動軸と接続され、第２の伝動杆を有する第２の歯車と、前記第２の伝動杆が接続され、第２のマッサージユニットを有する第２の回転ベースと、を備え、前記モータにより前記第１の伝動軸及び前記第２の伝動軸が回転されると、前記第１のマッサージユニット及び前記第２のマッサージユニットが回転されることを特徴とする揉み装置が提供される。
【０００７】
また、前記第１の歯車及び前記第２の歯車の外側は、第１のハウジング及び第２のハウジングにより覆われることが好ましい。
【０００８】
また、前記第１のマッサージユニット及び前記第２のマッサージユニットと電気的に接続され、前記第１のマッサージユニット及び前記第２のマッサージユニットを電熱方式により加熱する加熱ユニットをさらに備えることが好ましい。
【０００９】
また、前記第１のマッサージユニット及び前記第２のマッサージユニットは、体積が異なる２つのマッサージ用球体をそれぞれ有することが好ましい。
【考案の効果】
【００１０】
本考案の揉み装置は、揉み機能を提供することができる。
【図面の簡単な説明】
【００１１】
【図１】本考案の一実施形態による揉み装置を示す斜視図である。
【図２】本考案の一実施形態による揉み装置を示す分解斜視図である。
【図３】本考案の一実施形態による揉み装置を示す斜視図である。
【考案を実施するための形態】
【００１２】
以下、本考案の実施形態について図に基づいて説明する。なお、これによって本考案が限定されるものではない。
【００１３】
図１〜図３を参照する。図１〜図３に示すように、本考案の一実施形態による揉み装置１０は、モータ１１、第１の歯車１２、第２の歯車１３、第１の回転ベース１４及び第２の回転ベース１５を含む。モータ１１は、それぞれの表面にネジ山が設けられた第１の伝動軸１１１及び第２の伝動軸１１２を有する。第１の歯車１２は、第１の伝動軸１１１と接続され、第１の伝動杆１２１を有する。第１の回転ベース１４は、第１の伝動杆１２１が接続され、第１のマッサージユニット１６を有する。第２の歯車１３は、第２の伝動軸１１２に接続され、第２の伝動杆１３１を有する。第２の回転ベース１５は、第２の伝動杆１３１に接続され、第２のマッサージユニット１７を有する。モータ１１により第１の伝動軸１１１及び第２の伝動軸１１２が回転されると、第１の伝動軸１１１及び第２の伝動軸１１２の表面に設けられたネジ山により、第１の歯車１２及び第２の歯車１３が回転して第１の伝動杆１２１及び第２の伝動杆１３１を回転させ、第１の回転ベース１４及び第２の回転ベース１５を回転させる。この際、第１の回転ベース１４及び第２の回転ベース１５上に配置された第１のマッサージユニット１６及び第２のマッサージユニット１７は、第１の回転ベース１４及び第２の回転ベース１５により回転され、人体を揉む動作を行う。
【００１４】
揉み装置１０の第１の歯車１２及び第２の歯車１３の外側は、外部の物に接触して損壊することがないように、第１のハウジング１２２及び第２のハウジング１３２により覆われている。
【００１５】
人が実際に手で揉む動作は、両手の親指を順方向又は逆方向へ円を描くように動かして行うことが一般的である。そのため、本実施形態の第１のマッサージユニット１６及び第２のマッサージユニット１７は、人の手で実際に揉むときの動作と同じになるように、順方向又は逆方向へ円を描くように動かす。第１のマッサージユニット１６及び第２のマッサージユニット１７の回転方向を反対にする場合、モータ１１により第１の伝動軸１１１及び第２の伝動軸１１２をそれぞれ時計回り及び逆時計回りに回転させると、第１のマッサージユニット１６及び第２のマッサージユニット１７が逆方向に回転する。また、第１の伝動軸１１１及び第２の伝動軸１１２が同じ方向に回転するときに、第１の歯車１２と第２の歯車１３との回転方向が反対になるようにしたり、第１の伝動軸１１１及び第２の伝動軸１１２上にネジ山を反対方向に設け、第１のマッサージユニット１６と第２のマッサージユニット１７との回転方向が反対になるようにしてもよい。
【００１６】
さらに、本実施形態の揉み装置１０は、マッサージを行いながら熱療法を行うことができるように、第１のマッサージユニット１６及び第２のマッサージユニット１７と電気的に接続された少なくとも１つの加熱ユニット１８を内側に取り付け、第１のマッサージユニット１６及び第２のマッサージユニット１７を電熱方式により加熱するようにしてもよい。本実施形態の揉み装置１０は、マッサージ機能の他に、熱療法の機能を得ることができる。
【００１７】
また、本実施形態の揉み装置１０は、漸次的に｛ぜんじ てき｝変化する力でユーザに対してマッサージを行うために、第１のマッサージユニット１６及び第２のマッサージユニット１７は、体積が異なる２つのマッサージ用球体を含んでもよい。この２つのマッサージ用球体は、人体に接触して回転する際に人体をマッサージする力が漸次的に変化するように、それぞれの体積が異なるようにしてもよい。
【００１８】
上述したことから分かるように、本考案の揉み装置は、必要に応じて首、腰、腕、足などの部位をマッサージして筋肉の緊張、疲れ、痛みなどをなくしたり、血液の循環を良くしたり、細胞に供給される酸素を増やしたり、心身を軽くしたりすることができる上、操作が簡便である。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  揉み装置
１１  モータ
１２  第１の歯車
１３  第２の歯車
１４  第１の回転ベース
１５  第２の回転ベース
１６  第１のマッサージユニット
１７  第２のマッサージユニット
１８  加熱ユニット
１１１  第１の伝動軸
１１２  第２の伝動軸
１２１  第１の伝動杆
１２２  第１のハウジング
１３１  第２の伝動杆
１３２  第２のハウジング
【図１】
0003163015.tif 000003
【図２】
0003163015.tif 000004
【図３】
0003163015.tif 000005